(57)【要約】      （修正有）【課題】ヒンジ作動時終端がスライディング可能なフレキシブル表示装置を提供する。【解決手段】角にヒンジ形状が反映されている単一ヒンジ固定ボディ１０Ａ、単一ヒンジ固定ボディ１０Ａに一側終端部分が固定され、固定されていない残りの部分はヒンジの外周面に支持された状態でフォールディング及びオープンが可能な状態に保持されるフレキシブルな表示手段２０Ａ、フレキシブルな表示手段２０Ａの固定されていない終端部分と共にスライディングされるスライディング板、単一ヒンジ固定ボディ１０Ａのヒンジ形状に回転可能な状態で組み立てられ、スライディング板が貫通してスライディング動作及び支持のためのスライディング空間部及びガイド壁が形成されている蓋板３０Ｂ、単一ヒンジ固定ボディ１０Ａに固定される第１の固定板５０、スライディング板に固定される第２の固定板５１、及び、フォールディング感知センサーとを含む。【選択図】図６
0003211702.tif 000002
【実用新案登録請求の範囲】
【請求項１】
１つの角にヒンジ形状が反映されている単一ヒンジ固定ボディと、
単一ヒンジ固定ボディに一側終端部分が固定され、固定されていない残りの部分はヒンジの外周面に支持された状態でフォールディング及びオープンが可能な状態に保持されるフレキシブルな表示手段Ａと、  
単一ヒンジ固定ボディのヒンジ形状に回転可能な状態で組み立てられ、フレキシブルな表示手段Ａの固定されていない終端部分が貫通してスライディング動作すること、及び支持のためのスライディング空間部と、
ガイド壁が形成されている蓋板Ａと、を含むヒンジ作動時フレキシブルな表示手段の弾性力を用いて終端のスライディングが可能なフレキシブル表示装置。  
【請求項２】
１つの角にヒンジ形状が反映されている単一ヒンジ固定ボディと、  
単一ヒンジ固定ボディに一側終端部分が固定され、固定されていない残りの部分はヒンジの外周面に支持された状態でフォールディング及びオープンが可能な状態に保持されるフレキシブルな表示手段Ａと、  
フレキシブルな表示手段Ａの固定されていない終端部分の周りを包み、映像が表示される面の反対面に密着固定されてフレキシブルな表示手段Ａの固定されていない終端部分と共にスライディングされるスライディング板と、  
単一ヒンジ固定ボディのヒンジ形状に回転可能な状態で組み立てられ、スライディング板が貫通してスライディング動作すること、及び支持のためのスライディング空間部と、
ガイド壁が形成されている蓋板Ｂと、を含むヒンジ作動時フレキシブルな表示手段の弾性力を用いて終端のスライディングが可能なフレキシブル表示装置。  
【請求項３】
２つの角にヒンジ形状が各々反映されているデュアルヒンジ固定ボディと、  
デュアルヒンジ固定ボディの一側に中央部分が固定され、固定されていない残りの両側終端部分は、各々ヒンジの外周面に支持された状態でフォールディング及びオープンが可能な状態に保持されるフレキシブルな表示手段Ｂと、  
デュアルヒンジ固定ボディのヒンジ形状に回転可能な状態で組み立てられ、フレキシブルな表示手段Ｂの固定されていない一側終端部分が貫通してスライディング動作すること、及び支持のためのスライディング空間部と、
ガイド壁が形成されている一対の蓋板Ａと、を含むヒンジ作動時フレキシブルな表示手段の弾性力を用いて終端のスライディングが可能なフレキシブル表示装置。  
【請求項４】
２つの角にヒンジ形状が各々反映されているデュアルヒンジ固定ボディと、  
デュアルヒンジ固定ボディの一側に中央部分が固定され、固定されていない残りの両側終端部分は、各々ヒンジの外周面に支持された状態でフォールディング及びオープンが可能な状態に保持されるフレキシブルな表示手段Ｂと、  
フレキシブルな表示手段Ｂの固定されていない一側終端部分の周りを包み、映像が表示される面の反対面に密着固定されてフレキシブルな表示手段Ｂの固定されていない一側終端部分と共にスライディングされる一対のスライディング板と、  
デュアルヒンジ固定ボディのヒンジ形状に回転可能な状態で組み立てられ、スライディング板が貫通してスライディング動作すること、及び支持のためのスライディング空間部と、
ガイド壁が形成されている一対の蓋板Ｂと、を含むヒンジ作動時フレキシブルな表示手段の弾性力を用いて終端のスライディングが可能なフレキシブル表示装置。  
【請求項５】
前記単一ヒンジ固定ボディの一面にはフレキシブルな表示手段Ａの一側終端部分の固定のための凹状の固定板支持部Ａが形成されていることを特徴とするヒンジ作動時フレキシブルな表示手段の弾性力を用いて終端のスライディングが可能な請求項１及び２のいずれか一項に記載のフレキシブル表示装置。  
【請求項６】
前記デュアルヒンジ固定ボディの一面にはフレキシブルな表示手段Ｂの中央部分一側の固定のための凹状の固定板支持部Ｂが形成されていることを特徴とするヒンジ作動時のフレキシブルな表示手段の弾性力を用いて終端のスライディングが可能な請求項３及び４のいずれか一項に記載のフレキシブル表市場値。  
【請求項７】
前記蓋板Ａは、スライディング方向と垂直である前記フレキシブルな表示手段Ａの断面形状がスライディング方向に沿って除去されるスライディング空間部と、  
前記スライディング空間部の上に存在する上部面をスライディング方向と平行した両側端から前記フレキシブルな表示手段Ａの係止することができる一定の長さだけを残して中央部分を除去して形成されたガイド壁と、が形成されていることを特徴とするヒンジ作動時フレキシブルな表示手段の弾性力を用いて終端のスライディングが可能な請求項１に記載のフレキシブル表示装置。    
【請求項８】
前記蓋板Ｂは、前記スライディング板がスライディング方向に貫通してスライディング動作することができるように中央部分に沿って除去されるスライディング空間部と、  
前記スライディング空間部の上に存在する上部面をスライディング方向と平行した両側端から前記スライディング板の係止することができる一定の長さだけを残して中央部分を除去して形成されたガイド壁と、が形成されていることを特徴とするヒンジ作動時フレキシブルな表示手段の弾性力を用いて終端のスライディングが可能な請求項２に記載のフレキシブル表示装置。  
【請求項９】
前記蓋板Ａは、スライディング方向と垂直である前記フレキシブルな表示手段Ｂの断面形状がスライディング方向に沿って除去されるスライディング空間部と、  
前記スライディング空間部の上に存在する上部面をスライディング方向と平行した両側端から前記フレキシブルな表示手段Ｂの係止することができる一定の長さだけを残して中央部分を除去して形成されたガイド壁と、が形成されていることを特徴とするヒンジ作動時フレキシブルな表示手段の弾性力を用いて終端のスライディングが可能な請求項３に記載のフレキシブル表示装置。  
【請求項１０】
前記蓋板Ｂは、前記スライディング板がスライディング方向に貫通してスライディング動作することができるように中央部分に沿って除去されるスライディング空間部と、  
前記スライディング空間部の上に存在する上部面をスライディング方向と平行した両側端から前記スライディング板の係止することができる一定の長さだけを残して中央部分を開放して形成されたガイド壁と、が形成されていることを特徴とするヒンジ作動時フレキシブルな表示手段の弾性力を用いて終端のスライディングが可能な請求項４に記載のフレキシブル表示装置。  
【請求項１１】
前記スライディング板の一面には、前記フレキシブルな表示手段Ａの固定されていない一側終端部分固定のための凹状のスライディング板支持部が形成されていることを特徴とするヒンジ作動時フレキシブルな表示手段の弾性力を用いて終端のスライディングが可能な請求項２に記載のフレキシブル表示装置。  
【請求項１２】
前記スライディング板の一面には、前記フレキシブルな表示手段Ｂの固定されていない一側終端部分固定のための凹状のスライディング板支持部が形成されていることを特徴とするヒンジ作動時フレキシブルな表示手段の弾性力を用いて終端のスライディングが可能な請求項４に記載のフレキシブル表示装置。  
【請求項１３】
前記フレキシブルな表示手段Ａは、中央部分が除去されて一側の角が開放された形状で一側終端の画面が表示される面の周りを圧迫し、前記単一ヒンジ固定ボディの固定板支持部Ａ側に固定される第１の固定板によって一側終端が固定される特徴を有するヒンジ作動時フレキシブルな表示手段の弾性力を用いて終端のスライディングが可能な請求項１に記載のフレキシブル表示装置。  
【請求項１４】
前記フレキシブルな表示手段Ａは、中央部分が除去されて一側の角が開放された形状で一側終端の画面が表示される面の周りを圧迫し、前記単一ヒンジ固定ボディの固定板支持部Ａ側に固定される第１の固定板によって一側終端が固定され、固定されていない反対側終端は中央部分が除去されて一側の角が開放された形状で一側終端の画面が表示される面の周りを圧迫し、前記スライディング板支持部側に固定される第２の固定板により前記スライディング板と一体化されている特徴を有するヒンジ作動時フレキシブルな表示手段の弾性力を用いて終端のスライディングが可能な請求項２に記載のフレキシブル表示装置。  
【請求項１５】
前記フレキシブルな表示手段Ｂは、両側ヒンジの間に位置する中央部分の一側を圧迫し、前記デュアルヒンジ固定ボディの固定板支持部Ｂ側に固定される一対の第３の固定板によって中央部分が固定される特徴を有するヒンジ作動時フレキシブルな表示手段の弾性力を用いて終端のスライディングが可能な請求項３に記載のフレキシブル表示装置。  
【請求項１６】
前記フレキシブルな表示手段Ｂは、両側ヒンジの間に位置する中央部分の一側を圧迫し、前記デュアルヒンジ固定ボディの固定板支持部Ｂ側に固定される一対の第３の固定板によって中央部分が固定され、固定されていない両側の終端は中央部分が除去されて一側角が開放された形状で一側終端の画面が表示される面の周りを圧迫し、各々の前記スライディング板支持部側に固定される一対の第２の固定板によって一側終端部分がスライディング板と一体化されている特徴を有するヒンジ作動時フレキシブルな表示手段の弾性力を用いて終端のスライディングが可能な請求項４に記載のフレキシブル表示装置。  
【請求項１７】
前記デュアルヒンジ固定ボディは、フォールディング状態のヒンジが密着支持される両側のヒンジフォールディング支持面が互いに平行しない形状が反映されている特徴を有するヒンジ作動時フレキシブルな表示手段の弾性力を用いて終端のスライディングが可能な請求項３及び４のいずれか一項に記載のフレキシブル表示装置。  
【考案の詳細な説明】
【技術分野】
【０００１】
本考案はフォールディング及びオープンが自由なフレキシブルパネルまたは電子紙が適用されたフォールディング式フレキシブル表示装置に関するものであって、より詳しくは両側終端が固定されて中央部分はヒンジの外周面に支持されるフレキシブルパネルまたは電子紙がヒンジのオープンまたはフォールディングの時、ヒンジの外周面の周辺長さの変化によって発生する長さ方向の変化を吸収できずヒンジのオープンの時、中央部分が上に突き出て盛り上がったり、ヒンジのフォールディングの時、伸縮性不足によって一側終端が裂かれる問題点が発生しないようにヒンジのフォールディング及びオープンによってフレキシブルパネルまたは電子紙の固定されていない部分がフレキシブルパネルまたは電子紙の弾性力を用いて、独自的なスライディングが可能なフレキシブル表示装置に関するものである。  
【背景技術】
【０００２】
表示装置は、映像機器及びモバイル通信機器を含む電子装置において重要な部分を占めており、従前の板状の形を保持するＬＣＤパネル以外に曲がること及びフォールディングが可能なフレキシブルパネルおよび電子紙のようなフレキシブルな表示手段が開示されている。  
【０００３】
フレキシブルな表示手段を映像機器及び通信機器に適用する分野において、ローラーを使用して巻いて保管する巻き方式及び折れる部分で一定の曲率を保持して折り曲げて保管するフォールディング方式について、各々多数の特許が提示されている。  
【０００４】
フォールディング方式が適用された特許の場合は、巻き方式とは違ってローラー及びローラー関連構成品が必要ではないことによって、手帳のように映像表示面が互いに向かい合って内部に折れ、手帳ケースの内側にフレキシブルな表示手段が固定支持される方式の特許が多数提示されているが、完全オープンの状態で映像表示面段差発生の問題が完璧に解決されなかったことと共に、曲率を保持しつつ折れる部分が外力から保護されない問題点が存在する。  
【０００５】
フォールディング方式の他の方案として、フレキシブルな表示手段の映像表示面が外面に向かって互いに背にした状態で中央部分が直接折れる方式の特許（韓国特許出願第：１０−２００８−００１２６６７）が提示されているが、中央部分のオープン及びフォールディング時、折れ部分の円周の長さに相当する部分の長さ変化を伸縮性が不足したフレキシブルな表示手段が吸収することができなくて密封状態が損傷される問題点が発生する。その解決策としてフレキシブルな表示手段の一側終端を直接固定させずにヒンジの反対側に位置した角の内部のローラーを利用して内側の面に方向転換させた後、方向転換されたフレキシブルな表示手段の一側終端にスプリングを適用して長さ変化を吸収するヒンジが反映された特許（韓国特許出願第：１０−２０１０−００６２７８７）が提示された。  
【０００６】
しかし、ヒンジが反映された特許は、フレキシブルな表示手段の一側終端にスプリングによる常時的な張力を局部的に作用させ、内部のローラーを用いて急激に方向転換させて引っ張らなければならない構造的な限界によって、フレキシブルな表示手段の密封状態が破壊され得る。  
【０００７】
また、ヒンジのオープン及びフォールディングの時、フレキシブルな表示手段の固定されていない部分の周りが周辺部と摩擦され、長期間使用時密封状態が損なわれる可能性も存在する。
【０００８】
そして、角の一側のみ単一ヒンジが適用されているが、適用概念を拡張して角の両側にヒンジが適用されると仮定しても適用方法が不明であり、両側のヒンジが同時にフォールディングされる場合、相互干渉の回避方案を追加で考慮すべきである。
【０００９】
また、ヒンジを構成するボディが薄い板状を持つことによって、使用者が手で握ったり、平らな床に寝かせて使用する単調な使用方式だけを強要する不便さもある。  
【００１０】
前記のヒンジが反映された特許とは違って、ヒンジの機能を代替するリンク部材を適用してオープン及びフォールディングの時、フォールディングが発生する角の部分の円周の長さに相当する部分の長さ変化をリンク部材が吸収するリンク部材が適用された特許（韓国特許出願第：１０−２０１２−００６８７１０）が提示された。
【００１１】
しかし、リンク部材が適用された特許は、リンク部材のフォールディングまたはオープン完了状態の場合にのみ、フォールディングが発生する角の部分の円周の長さに相当する長さ変化を正確に吸収することができ、フォールディングまたはオープンが進められる過程中には、リンク部材の両方が常に同様に同時に作動せず、いずれか一方が無作為に先に作動する特徴によって、完璧な長さ変化を吸収できない。その結果、オープン及びフォールディング動作の時、フォールディングが発生する部分の密封状態を損傷させ得る。  
【００１２】
また、固定ボディに該当する第１の支持台または第２の支持台に互いに異なる外力が作用する場合、ヒンジとは違って、リンク部材がねじれて関連部分が損なわれる可能性も存在する。
【００１３】
そして、完全オープン状態の時、リンク部材が存在する中央部分の裏面から入射される周辺光を適切に遮断する部分が全くないため、両側終端部分と中央部分の色感の差が発生し得る。
【考案の概要】
【考案が解決しようとする課題】
【００１４】
本考案が成し遂げようとする技術的課題は、第一に、外力が作用してもフォールディング関連部分の損傷の恐れが少なく、フォールディング程度によるフォールディング外周面の長さの変化に正確に対応されるヒンジ方式が適用され、方向転換ローラー及び終端に常に張力を作用させるスプリングの適用なしでもヒンジ作動時ヒンジが位置した中央部分のフレキシブルな表示手段が上に突き出て盛り上がったり、伸縮性不足によって一側終端が裂かれる問題点が発生しないようにすることにある。
【００１５】
第二に、フレキシブルな表示手段の固定されていない一側終端部分の周りがヒンジ作動時、外部要因から保護されることができるようにして、フレキシブルな表示手段の周り部分の密封状態が損なわれないようにすることにある。
【００１６】
第三に、映像が表示される面の拡張及び保管の便宜性のために両側の角に各々のヒンジを適用することにおいて、両側のヒンジを同時にフォールディングしても相互間で干渉が発生しないようにすることにある。
【００１７】
第四に、使用者が手で握ったり、平らな床に寝かせて使用する単調な使用方式以外にもヒンジのオープン状態によって使用者の支持力の適用なしで多様な状態で使用できる使用便利性を有するようにすることにある。  
【課題を解決するための手段】
【００１８】
前記第一の技術的課題を達成するための本考案の実施例１によると、一側の角にヒンジ形状が反映されている単一ヒンジ固定ボディ、前記単一ヒンジ固定ボディに一側終端部分が固定され、固定されていない残りの部分はヒンジの外周面に支持された状態でフォールディング及びオープンが可能な状態で保持されるフレキシブルな表示手段Ａ、前記単一ヒンジ固定ボディのヒンジ形状に回転可能な状態で組み立てられ、前記フレキシブルな表示手段Ａの固定されていない終端部分が貫通してスライディング動作すること、及び支持のためのスライディング空間部、及びガイド壁が形成されている蓋板Ａ、中央部分が除去されて一側の角が開放された形状で前記フレキシブルな表示手段Ａの上部面の周りを圧迫し、前記単一ヒンジ固定ボディに固定される第１の固定板、前記単一ヒンジ固定ボディに組み立ててヒンジのフォールディング及びオープンを感知するフォールディング感知センサーとを含むことができる。
【００１９】
前記第一及び第二の技術的課題を達成するための本考案の他の実施例２によると、角にヒンジ形状が反映されている単一ヒンジ固定ボディ、前記単一ヒンジ固定ボディに一側終端部分が固定され、固定されていない残りの部分はヒンジの外周面に支持された状態でフォールディング及びオープンが可能な状態に保持されるフレキシブルな表示手段Ａ、前記フレキシブルな表示手段Ａの固定されていない終端部分の周りを包み、映像が表示される面の反対面に密着固定されて前記フレキシブルな表示手段Ａの固定されていない終端部分と共にスライディングされるスライディング板、前記単一ヒンジ固定ボディのヒンジ形状に回転可能な状態で組み立てられ、前記スライディング板が貫通してスライディング動作すること、及び支持のためのスライディング空間部及びガイド壁が形成されている蓋板Ｂ、中央部分が除去されて一側の角が開放された形状で前記フレキシブルな表示手段Ａの上部面の周りを圧迫し、前記単一ヒンジ固定ボディに固定される第１の固定板、中央部分が除去されて一側の角が開放された形状で前記フレキシブルな表示手段Ａの上部面の周りを圧迫し、前記スライディング板に固定される第２の固定板、前記単一ヒンジ固定ボディに組み立てて前記ヒンジのフォールディング及びオープンを感知するフォールディング感知センサーとを含むことができる。
【００２０】
前記第一、第三及び第四の技術的課題を達成するための本考案の他の実施例３によると、２つの角にヒンジ形状が反映されているデュアルヒンジ固定ボディ、前記デュアルヒンジ固定ボディの一側に中央部分が固定され、固定されていない残りの両側終端部分は、各々ヒンジの外周面に支持された状態でフォールディング及びオープンが可能な状態で保持されるフレキシブルな表示手段Ｂ、前記デュアルヒンジ固定ボディのヒンジ形状に回転可能な状態で組み立てられ、前記フレキシブルな表示手段Ｂの固定されていない一側終端部分が貫通してスライディング動作すること、及び支持のためのスライディング空間部及びガイド壁が形成されている一対の蓋板Ａ、直線形態を有して前記フレキシブルな表示手段Ｂの上部面の周りを密着圧迫し、前記デュアルヒンジ固定ボディに固定される一対の第３の固定板、前記デュアルヒンジ固定ボディに組み立ててヒンジのフォールディング及びオープンを感知するフォールディング感知センサーとを含むことができる。
【００２１】
前記第一、第二、第三及び第四の技術的課題を達成するための本考案の他の実施例４によると、２つの角にヒンジ形状が反映されているデュアルヒンジ固定ボディ、前記デュアルヒンジ固定ボディの一側に中央部分が固定され、固定されていない残りの両側終端部分は、各々ヒンジの外周面に支持された状態でフォールディング及びオープンが可能な状態で保持されるフレキシブルな表示手段Ｂ、前記フレキシブルな表示手段Ｂの固定されていない一側終端部分の周りを包み、映像が表示される面の反対面に密着固定されて前記フレキシブルな表示手段Ｂの固定されていない一側終端部分と共にスライディングされる一対のスライディング板、前記デュアルヒンジ固定ボディのヒンジ形状に回転可能な状態で組み立てられ、前記スライディング板が貫通してスライディング動作すること、及び支持のためのスライディング空間部及びガイド壁が形成されている一対の蓋板Ｂ、直線形態を有して前記フレキシブルな表示手段Ｂの上部面の周りを密着圧迫し、前記デュアルヒンジ固定ボディに固定される一対の第３の固定板、中央部分が除去されて一側の角が開放された形状で前記フレキシブルな表示手段Ｂの上部面の周りを圧迫し、前記スライディング板に固定される一対の第２の固定板、前記デュアルヒンジ固定ボディに組み立てて前記ヒンジのフォールディング及びオープンを感知するフォールディング感知センサーとを含むことができる。  
【考案の効果】
【００２２】
上述のように、本考案の実施例１、実施例２、実施例３及び実施例４によると、前記フレキシブルな表示手段Ａ及びフレキシブルな表示手段Ｂの全体が固定されずいずれか一方又は中間部分だけが固定された状態で固定されていない残りの部分が前記蓋板Ａに直接スライディングされたり、または前記スライディング板に密着した状態でスライディング板と共に前記蓋板Ｂにスライディングされる。これによって、ヒンジ作動時ヒンジが位置した中央部分が上に突き出て盛り上がったり、伸縮性の不足によって一側終端が裂かれる問題点が発生しない。
【００２３】
また、本考案の実施例２及び実施例４によると、前記フレキシブルな表示手段Ａ及びフレキシブルな表示手段Ｂの固定されていない部分がスライディング板によって包まれ、固定されて密着固定された前記フレキシブルな表示手段Ａ及びフレキシブルな表示手段Ｂの上部面の周り部分を第２の固定板が圧力してスライディング板に固定されることにより直接的なスライディングを行う周りの部分が外部に露出せず密閉状態で保護されて、フレキシブルな表示手段の密封状態が損傷される問題点が解決される。
【００２４】
本考案の実施例１及び実施例３は、前記スライディング板及び第２の固定板が適用されないため、前記フレキシブルな表示手段Ａ及びフレキシブルな表示手段Ｂの固定されていない部分の周りを本考案の実施例２及び実施例４のように保護することはできないが、前記スライディング板のガイド壁に位置する部分は、外部に露出されていない状態にあるので制限的な範囲で最小限に保護されると言える。
【００２５】
また、本考案の実施例３及び実施例４のように、ヒンジがフォールディング状態で支持されるようにする形状である両側のヒンジフォールディング支持面が平行しないで２つの角にヒンジ形状が反映されているデュアルヒンジ固定ボディにおいて、ヒンジに組み立てられ回動する蓋板Ａまたは蓋板Ｂの終端がヒンジフォールディング支持面延長線の交差点を超えないように長さを制限することによって、両側に位置する２つと蓋板Ａまたは蓋板Ｂが同時にオープンされたり、フォールディングされても相互間で干渉が発生しないようになる。
【００２６】
そして、本考案の実施例３及び実施例４のように、両側のヒンジフォールディング支持面が平行しないデュアルヒンジ固定ボディを適用することによって、ヒンジが折れている面を床面にして傾斜した形の配置状態を安定的に保持することができ、実施例４のように実施例３にスライディング板を追加で適用することによって、フレキシブルな表示手段Ｂの完全オープン状態で前記スライディング板の終端の角とデュアルヒンジ固定ボディのヒンジフォールディング支持面延長線の交差点付近に位置する所に各々接触面が形成されて支持される状態を保持することができるようになる。これを通じて映像表示面の拡張性の増大及び保管の便宜性の向上と共に、使用便利性を追加で得られるようになる。  
【図面の簡単な説明】
【００２７】
【図１】ヒンジのオープン及びフォールディングによるフレキシブルな表示手段の変化を示す例示図である。
【図２】本考案の実施例１に対する状態別例示図である。
【図３】本考案の実施例１に対する蓋板の斜視図及び正面図である。
【図４】本考案の実施例１に対するフォールディング状態の平面図及び断面図である。
【図５】本考案の実施例１に対するオープン状態平面図及び断面図である。
【図６】本考案の実施例２に対する状態別例示図である。
【図７】本考案の実施例２に対する蓋板及びスライディング板の斜視図及び正面図である。
【図８】本考案の実施例２に対するフォールディング状態の平面図及び断面図である。
【図９】本考案の実施例２に対するオープン状態の平面図及び断面図である。
【図１０】本考案の実施例３に対する状態別例示図である。
【図１１】本考案の実施例３に対する両側フォールディング状態の平面図及び断面図である。
【図１２】本考案の実施例３に対する一側のオープン及び一側のフォールディング状態の平面図及び断面図である。
【図１３】本考案の実施例３に対する両側オープン状態の平面図及び断面図である。
【図１４】本考案の実施例４に対する状態別例示図である。
【図１５】本考案の実施例４に対する両側フォールディング状態の平面図及び断面図である。
【図１６】本考案の実施例４に対する一側のオープン及び一側のフォールディング状態の平面図及び断面図である。
【図１７】本考案の実施例４に対する両側オープン状態の平面図及び断面図である。
【考案を実施するための形態】
【００２８】
添付された図面の主要部位に対する符号は以下のとおりである。
【符号の説明】
【００２９】
１０Ａ  単一ヒンジ固定ボディ
１０Ｂ  デュアルヒンジ固定ボディ  
１１Ａ  固定板支持部Ａ
１１Ｂ  固定板支持部Ｂ  
１２    ヒンジフォールディング支持面
２０Ａ  フレキシブルな表示手段Ａ  
２０Ｂ  フレキシブルな表示手段Ｂ  
３０Ａ  蓋板Ａ  
３０Ｂ  蓋板Ｂ  
３１    スライディング空間部
３２    ガイド壁
４０    スライディング板
４１    スライディング板支持部
５０    第１の固定板
５１    第２の固定板
５２    第３の固定板
６０    フォールディング感知センサー
【図１】
0003211702.tif 000003
【図２】
0003211702.tif 000004
【図３】
0003211702.tif 000005
【図４】
0003211702.tif 000006
【図５】
0003211702.tif 000007
【図６】
0003211702.tif 000008
【図７】
0003211702.tif 000009
【図８】
0003211702.tif 000010
【図９】
0003211702.tif 000011
【図１０】
0003211702.tif 000012
【図１１】
0003211702.tif 000013
【図１２】
0003211702.tif 000014
【図１３】
0003211702.tif 000015
【図１４】
0003211702.tif 000016
【図１５】
0003211702.tif 000017
【図１６】
0003211702.tif 000018
【図１７】
0003211702.tif 000019
【手続補正書】
【提出日】平成29年2月13日(2017.2.13)
【手続補正１】
【補正対象書類名】実用新案登録請求の範囲
【補正対象項目名】全文
【補正方法】変更
【補正の内容】
【実用新案登録請求の範囲】
【請求項１】
両側の角に各々ヒンジが備えられた固定ボディ、及び、
前記固定ボディの一側面に中央部分が固定され、固定されていない残りの両側終端部分は、各々前記ヒンジの外周面に支持された状態でフォールディング及びオープンができるように結合されるフレキシブルな表示手段、が備えられ、
前記固定ボディは、フォールディング状態のヒンジが密着支持される両側のヒンジフォールディング支持面をさらに備え、
前記両側のヒンジフォールディング支持面は互いに平行しないことを特徴とする、
フレキシブル表示装置。
【請求項２】
前記二つのヒンジフォールディング支持面の延長線と前記フレキシブルな表示手段が固定される前記固定ボディの延長線は、三角形の形状を成すことを特徴とする請求項１に記載のフレキシブル表示装置。
【請求項３】
前記二つのヒンジがオープンされた状態で前記フレキシブル表示装置は平面を成し、前記二つのヒンジがフォールディングされた状態で、前記フレキシブル表示装置は三面が外部に露出されたことを特徴とする請求項１に記載のフレキシブル表示装置。
【請求項４】
前記ヒンジの動作時、前記フレキシブルな表示手段の弾性力によって前記フレキシブルな表示手段の両終端は、前記固定されたフレキシブルな表示手段の中央部分を中心にスライディング動作することを特徴とする請求項１に記載のフレキシブル表示装置。
【請求項５】
前記固定ボディの両側のヒンジに各々回転可能な状態で組み立てられる一対の蓋板を更に備え、前記一対の蓋板は、前記二つのヒンジがフォールディングされた状態で終端部が前記ヒンジフォールディング支持面の延長線の交差点を超えない長さを有することを特徴とする請求項１に記載のフレキシブル表示装置。
【請求項６】
前記蓋板は、前記フレキシブルな表示手段の固定されていない一側終端部分が貫通してスライディング動作するスライディング空間部、及び、前記フレキシブルな表示手段のスライディング動作範囲を制限するガイド壁が形成されることを特徴とする請求項５に記載のフレキシブル表示装置。
【請求項７】
前記フレキシブルな表示手段の固定されていない一側終端部分の周りを包み、前記フレキシブルな表示手段の映像表示面の反対面に密着されて、前記フレキシブルな表示手段の固定されていない一側終端部分と共にスライディング動作する一対のスライディング板を更に備えることを特徴とする請求項６に記載のフレキシブル表示装置。
【請求項８】
前記ガイド壁は、前記スライディング空間部の上部面を前記スライディング板の動作を制限するための長さだけ残して中央部分を開放することによって形成されたことを特徴とする請求項７に記載のフレキシブル表示装置。
【請求項９】
前記スライディング板に備え、前記フレキシブルな表示手段の固定されていない両側の終端を包んで固定する一対のスライディング板支持部、前記固定ボディに固定されて前記フレキシブルな表示手段の中央部分を圧迫する一対の第３の固定板、及び、前記スライディング板支持部に固定されて前記フレキシブルな表示手段の両側終端の枠の部位を圧迫する一対の第２の固定板とを更に備えることを特徴とする請求項７に記載のフレキシブル表示装置。
【手続補正２】
【補正対象書類名】明細書
【補正対象項目名】全文
【補正方法】変更
【補正の内容】
【考案の詳細な説明】
【技術分野】
【０００１】
本考案はフォールディング及びオープンが自由なフレキシブルパネルまたは電子紙が適用されたフォールディング式フレキシブル表示装置に関するものであって、より詳しくは両側終端が固定されて中央部分はヒンジの外周面に支持されるフレキシブルパネルまたは電子紙がヒンジのオープンまたはフォールディングの時、ヒンジの外周面の周辺長さの変化によって発生する長さ方向の変化を吸収できずヒンジのオープンの時、中央部分が上に突き出て盛り上がったり、ヒンジのフォールディングの時、伸縮性不足によって一側終端が裂かれる問題点が発生しないようにヒンジのフォールディング及びオープンによってフレキシブルパネルまたは電子紙の固定されていない部分がフレキシブルパネルまたは電子紙の弾性力を用いて、独自的なスライディングが可能なフレキシブル表示装置に関するものである。  
【背景技術】
【０００２】
表示装置は、映像機器及びモバイル通信機器を含む電子装置において重要な部分を占めており、従前の板状の形を保持するＬＣＤパネル以外に曲がること及びフォールディングが可能なフレキシブルパネルおよび電子紙のようなフレキシブルな表示手段が開示されている。  
【０００３】
フレキシブルな表示手段を映像機器及び通信機器に適用する分野において、ローラーを使用して巻いて保管する巻き方式及び折れる部分で一定の曲率を保持して折り曲げて保管するフォールディング方式について、各々多数の特許が提示されている。  
【０００４】
フォールディング方式が適用された特許の場合は、巻き方式とは違ってローラー及びローラー関連構成品が必要ではないことによって、手帳のように映像表示面が互いに向かい合って内部に折れ、手帳ケースの内側にフレキシブルな表示手段が固定支持される方式の特許が多数提示されているが、完全オープンの状態で映像表示面段差発生の問題が完璧に解決されなかったことと共に、曲率を保持しつつ折れる部分が外力から保護されない問題点が存在する。  
【０００５】
フォールディング方式の他の方案として、フレキシブルな表示手段の映像表示面が外面に向かって互いに背にした状態で中央部分が直接折れる方式の特許（韓国特許出願第：１０−２００８−００１２６６７）が提示されているが、中央部分のオープン及びフォールディング時、折れ部分の円周の長さに相当する部分の長さ変化を伸縮性が不足したフレキシブルな表示手段が吸収することができなくて密封状態が損傷される問題点が発生する。その解決策としてフレキシブルな表示手段の一側終端を直接固定させずにヒンジの反対側に位置した角の内部のローラーを利用して内側の面に方向転換させた後、方向転換されたフレキシブルな表示手段の一側終端にスプリングを適用して長さ変化を吸収するヒンジが反映された特許（韓国特許出願第：１０−２０１０−００６２７８７）が提示された。  
【０００６】
しかし、ヒンジが反映された特許は、フレキシブルな表示手段の一側終端にスプリングによる常時的な張力を局部的に作用させ、内部のローラーを用いて急激に方向転換させて引っ張らなければならない構造的な限界によって、フレキシブルな表示手段の密封状態が破壊され得る。  
【０００７】
また、ヒンジのオープン及びフォールディングの時、フレキシブルな表示手段の固定されていない部分の周りが周辺部と摩擦され、長期間使用時密封状態が損なわれる可能性も存在する。
【０００８】
そして、角の一側のみ単一ヒンジが適用されているが、適用概念を拡張して角の両側にヒンジが適用されると仮定しても適用方法が不明であり、両側のヒンジが同時にフォールディングされる場合、相互干渉の回避方案を追加で考慮すべきである。
【０００９】
また、ヒンジを構成するボディが薄い板状を持つことによって、使用者が手で握ったり、平らな床に寝かせて使用する単調な使用方式だけを強要する不便さもある。  
【００１０】
前記のヒンジが反映された特許とは違って、ヒンジの機能を代替するリンク部材を適用してオープン及びフォールディングの時、フォールディングが発生する角の部分の円周の長さに相当する部分の長さ変化をリンク部材が吸収するリンク部材が適用された特許（韓国特許出願第：１０−２０１２−００６８７１０）が提示された。
【００１１】
しかし、リンク部材が適用された特許は、リンク部材のフォールディングまたはオープン完了状態の場合にのみ、フォールディングが発生する角の部分の円周の長さに相当する長さ変化を正確に吸収することができ、フォールディングまたはオープンが進められる過程中には、リンク部材の両方が常に同様に同時に作動せず、いずれか一方が無作為に先に作動する特徴によって、完璧な長さ変化を吸収できない。その結果、オープン及びフォールディング動作の時、フォールディングが発生する部分の密封状態を損傷させ得る。  
【００１２】
また、固定ボディに該当する第１の支持台または第２の支持台に互いに異なる外力が作用する場合、ヒンジとは違って、リンク部材がねじれて関連部分が損なわれる可能性も存在する。
【００１３】
そして、完全オープン状態の時、リンク部材が存在する中央部分の裏面から入射される周辺光を適切に遮断する部分が全くないため、両側終端部分と中央部分の色感の差が発生し得る。
【考案の概要】
【考案が解決しようとする課題】
【００１４】
本考案が成し遂げようとする技術的課題は、第一に、外力が作用してもフォールディング関連部分の損傷の恐れが少なく、フォールディング程度によるフォールディング外周面の長さの変化に正確に対応されるヒンジ方式が適用され、方向転換ローラー及び終端に常に張力を作用させるスプリングの適用なしでもヒンジ作動時ヒンジが位置した中央部分のフレキシブルな表示手段が上に突き出て盛り上がったり、伸縮性不足によって一側終端が裂かれる問題点が発生しないようにすることにある。
【００１５】
第二に、フレキシブルな表示手段の固定されていない一側終端部分の周りがヒンジ作動時、外部要因から保護されることができるようにして、フレキシブルな表示手段の周り部分の密封状態が損なわれないようにすることにある。
【００１６】
第三に、映像が表示される面の拡張及び保管の便宜性のために両側の角に各々のヒンジを適用することにおいて、両側のヒンジを同時にフォールディングしても相互間で干渉が発生しないようにすることにある。
【００１７】
第四に、使用者が手で握ったり、平らな床に寝かせて使用する単調な使用方式以外にもヒンジのオープン状態によって使用者の支持力の適用なしで多様な状態で使用できる使用便利性を有するようにすることにある。  
【課題を解決するための手段】
【００１８】
前記第一の技術的課題を達成するための本考案の実施例１によると、一側の角にヒンジ形状が反映されている単一ヒンジ固定ボディ、前記単一ヒンジ固定ボディに一側終端部分が固定され、固定されていない残りの部分はヒンジの外周面に支持された状態でフォールディング及びオープンが可能な状態で保持されるフレキシブルな表示手段Ａ、前記単一ヒンジ固定ボディのヒンジ形状に回転可能な状態で組み立てられ、前記フレキシブルな表示手段Ａの固定されていない終端部分が貫通してスライディング動作すること、及び支持のためのスライディング空間部、及びガイド壁が形成されている蓋板Ａ、中央部分が除去されて一側の角が開放された形状で前記フレキシブルな表示手段Ａの上部面の周りを圧迫し、前記単一ヒンジ固定ボディに固定される第１の固定板、前記単一ヒンジ固定ボディに組み立ててヒンジのフォールディング及びオープンを感知するフォールディング感知センサーとを含むことができる。
【００１９】
前記第一及び第二の技術的課題を達成するための本考案の他の実施例２によると、角にヒンジ形状が反映されている単一ヒンジ固定ボディ、前記単一ヒンジ固定ボディに一側終端部分が固定され、固定されていない残りの部分はヒンジの外周面に支持された状態でフォールディング及びオープンが可能な状態に保持されるフレキシブルな表示手段Ａ、前記フレキシブルな表示手段Ａの固定されていない終端部分の周りを包み、映像が表示される面の反対面に密着固定されて前記フレキシブルな表示手段Ａの固定されていない終端部分と共にスライディングされるスライディング板、前記単一ヒンジ固定ボディのヒンジ形状に回転可能な状態で組み立てられ、前記スライディング板が貫通してスライディング動作すること、及び支持のためのスライディング空間部及びガイド壁が形成されている蓋板Ｂ、中央部分が除去されて一側の角が開放された形状で前記フレキシブルな表示手段Ａの上部面の周りを圧迫し、前記単一ヒンジ固定ボディに固定される第１の固定板、中央部分が除去されて一側の角が開放された形状で前記フレキシブルな表示手段Ａの上部面の周りを圧迫し、前記スライディング板に固定される第２の固定板、前記単一ヒンジ固定ボディに組み立てて前記ヒンジのフォールディング及びオープンを感知するフォールディング感知センサーとを含むことができる。
【００２０】
前記第一、第三及び第四の技術的課題を達成するための本考案の他の実施例３によると、２つの角にヒンジ形状が反映されているデュアルヒンジ固定ボディ、前記デュアルヒンジ固定ボディの一側に中央部分が固定され、固定されていない残りの両側終端部分は、各々ヒンジの外周面に支持された状態でフォールディング及びオープンが可能な状態で保持されるフレキシブルな表示手段Ｂ、前記デュアルヒンジ固定ボディのヒンジ形状に回転可能な状態で組み立てられ、前記フレキシブルな表示手段Ｂの固定されていない一側終端部分が貫通してスライディング動作すること、及び支持のためのスライディング空間部及びガイド壁が形成されている一対の蓋板Ａ、直線形態を有して前記フレキシブルな表示手段Ｂの上部面の周りを密着圧迫し、前記デュアルヒンジ固定ボディに固定される一対の第３の固定板、前記デュアルヒンジ固定ボディに組み立ててヒンジのフォールディング及びオープンを感知するフォールディング感知センサーとを含むことができる。
【００２１】
前記第一、第二、第三及び第四の技術的課題を達成するための本考案の他の実施例４によると、２つの角にヒンジ形状が反映されているデュアルヒンジ固定ボディ、前記デュアルヒンジ固定ボディの一側に中央部分が固定され、固定されていない残りの両側終端部分は、各々ヒンジの外周面に支持された状態でフォールディング及びオープンが可能な状態で保持されるフレキシブルな表示手段Ｂ、前記フレキシブルな表示手段Ｂの固定されていない一側終端部分の周りを包み、映像が表示される面の反対面に密着固定されて前記フレキシブルな表示手段Ｂの固定されていない一側終端部分と共にスライディングされる一対のスライディング板、前記デュアルヒンジ固定ボディのヒンジ形状に回転可能な状態で組み立てられ、前記スライディング板が貫通してスライディング動作すること、及び支持のためのスライディング空間部及びガイド壁が形成されている一対の蓋板Ｂ、直線形態を有して前記フレキシブルな表示手段Ｂの上部面の周りを密着圧迫し、前記デュアルヒンジ固定ボディに固定される一対の第３の固定板、中央部分が除去されて一側の角が開放された形状で前記フレキシブルな表示手段Ｂの上部面の周りを圧迫し、前記スライディング板に固定される一対の第２の固定板、前記デュアルヒンジ固定ボディに組み立てて前記ヒンジのフォールディング及びオープンを感知するフォールディング感知センサーとを含むことができる。  
【考案の効果】
【００２２】
上述のように、本考案の実施例１、実施例２、実施例３及び実施例４によると、前記フレキシブルな表示手段Ａ及びフレキシブルな表示手段Ｂの全体が固定されずいずれか一方又は中間部分だけが固定された状態で固定されていない残りの部分が前記蓋板Ａに直接スライディングされたり、または前記スライディング板に密着した状態でスライディング板と共に前記蓋板Ｂにスライディングされる。これによって、ヒンジ作動時ヒンジが位置した中央部分が上に突き出て盛り上がったり、伸縮性の不足によって一側終端が裂かれる問題点が発生しない。
【００２３】
また、本考案の実施例２及び実施例４によると、前記フレキシブルな表示手段Ａ及びフレキシブルな表示手段Ｂの固定されていない部分がスライディング板によって包まれ、固定されて密着固定された前記フレキシブルな表示手段Ａ及びフレキシブルな表示手段Ｂの上部面の周り部分を第２の固定板が圧力してスライディング板に固定されることにより直接的なスライディングを行う周りの部分が外部に露出せず密閉状態で保護されて、フレキシブルな表示手段の密封状態が損傷される問題点が解決される。
【００２４】
本考案の実施例１及び実施例３は、前記スライディング板及び第２の固定板が適用されないため、前記フレキシブルな表示手段Ａ及びフレキシブルな表示手段Ｂの固定されていない部分の周りを本考案の実施例２及び実施例４のように保護することはできないが、前記スライディング板のガイド壁に位置する部分は、外部に露出されていない状態にあるので制限的な範囲で最小限に保護されると言える。
【００２５】
また、本考案の実施例３及び実施例４のように、ヒンジがフォールディング状態で支持されるようにする形状である両側のヒンジフォールディング支持面が平行しないで２つの角にヒンジ形状が反映されているデュアルヒンジ固定ボディにおいて、ヒンジに組み立てられ回動する蓋板Ａまたは蓋板Ｂの終端がヒンジフォールディング支持面延長線の交差点を超えないように長さを制限することによって、両側に位置する２つと蓋板Ａまたは蓋板Ｂが同時にオープンされたり、フォールディングされても相互間で干渉が発生しないようになる。
【００２６】
そして、本考案の実施例３及び実施例４のように、両側のヒンジフォールディング支持面が平行しないデュアルヒンジ固定ボディを適用することによって、ヒンジが折れている面を床面にして傾斜した形の配置状態を安定的に保持することができ、実施例４のように実施例３にスライディング板を追加で適用することによって、フレキシブルな表示手段Ｂの完全オープン状態で前記スライディング板の終端の角とデュアルヒンジ固定ボディのヒンジフォールディング支持面延長線の交差点付近に位置する所に各々接触面が形成されて支持される状態を保持することができるようになる。これを通じて映像表示面の拡張性の増大及び保管の便宜性の向上と共に、使用便利性を追加で得られるようになる。  
【図面の簡単な説明】
【００２７】
【図１】ヒンジのオープン及びフォールディングによるフレキシブルな表示手段の変化を示す例示図である。
【図２】本考案の実施例１に対する状態別例示図である。
【図３】本考案の実施例１に対する蓋板の斜視図及び正面図である。
【図４】本考案の実施例１に対するフォールディング状態の平面図及び断面図である。
【図５】本考案の実施例１に対するオープン状態平面図及び断面図である。
【図６】本考案の実施例２に対する状態別例示図である。
【図７】本考案の実施例２に対する蓋板及びスライディング板の斜視図及び正面図である。
【図８】本考案の実施例２に対するフォールディング状態の平面図及び断面図である。
【図９】本考案の実施例２に対するオープン状態の平面図及び断面図である。
【図１０】本考案の実施例３に対する状態別例示図である。
【図１１】本考案の実施例３に対する両側フォールディング状態の平面図及び断面図である。
【図１２】本考案の実施例３に対する一側のオープン及び一側のフォールディング状態の平面図及び断面図である。
【図１３】本考案の実施例３に対する両側オープン状態の平面図及び断面図である。
【図１４】本考案の実施例４に対する状態別例示図である。
【図１５】本考案の実施例４に対する両側フォールディング状態の平面図及び断面図である。
【図１６】本考案の実施例４に対する一側のオープン及び一側のフォールディング状態の平面図及び断面図である。
【図１７】本考案の実施例４に対する両側オープン状態の平面図及び断面図である。
【考案を実施するための形態】
【００２８】
以下、本考案のヒンジ作動時フレキシブルな表示手段の弾性力を用いて終端のスライディングが可能なフレキシブル表示装置について、図面を参照しながら説明する。
【実施例１】
【００２９】
図２〜５を参照する。図２〜５は、ヒンジ作動時フレキシブルな表示手段の弾性力を用いて終端のスライディングが可能なフレキシブル表示装置の実施例１である。
本考案の実施例１は、一側の角にヒンジ形状が反映されている単一ヒンジ固定ボディ、単一ヒンジ固定ボディに一側終端部分が固定され、固定されていない残りの部分はヒンジの外周面に支持された状態でフォールディング及びオープンが可能な状態で保持されるフレキシブルな表示手段Ａ、単一ヒンジ固定ボディのヒンジ形状に回転可能な状態で組み立てられ、フレキシブルな表示手段Ａの固定されていない終端部分が貫通してスライディング動作すること、及び支持のためのスライディング空間部、及びガイド壁が形成されている蓋板Ａ、中央部分が除去されて一側の角が開放された形状でフレキシブルな表示手段Ａの上部面の周りを圧迫し、単一ヒンジ固定ボディに固定される第１の固定板、単一ヒンジ固定ボディに組み立ててヒンジのフォールディング及びオープンを感知するフォールディング感知センサーとを含むことができる。
【実施例２】
【００３０】
図６〜９を参照する。図６〜９は、ヒンジ作動時フレキシブルな表示手段の弾性力を用いて終端のスライディングが可能なフレキシブル表示装置の実施例２である。
本考案の実施例２は、角にヒンジ形状が反映されている単一ヒンジ固定ボディ、単一ヒンジ固定ボディに一側終端部分が固定され、固定されていない残りの部分はヒンジの外周面に支持された状態でフォールディング及びオープンが可能な状態に保持されるフレキシブルな表示手段Ａ、フレキシブルな表示手段Ａの固定されていない終端部分の周りを包み、映像が表示される面の反対面に密着固定されてフレキシブルな表示手段Ａの固定されていない終端部分と共にスライディングされるスライディング板、単一ヒンジ固定ボディのヒンジ形状に回転可能な状態で組み立てられ、スライディング板が貫通してスライディング動作すること、及び支持のためのスライディング空間部及びガイド壁が形成されている蓋板Ｂ、中央部分が除去されて一側の角が開放された形状でフレキシブルな表示手段Ａの上部面の周りを圧迫し、単一ヒンジ固定ボディに固定される第１の固定板、中央部分が除去されて一側の角が開放された形状でフレキシブルな表示手段Ａの上部面の周りを圧迫し、スライディング板に固定される第２の固定板、単一ヒンジ固定ボディに組み立ててヒンジのフォールディング及びオープンを感知するフォールディング感知センサーとを含むことができる。
【実施例３】
【００３１】
図１０〜１３を参照する。図１０〜１３は、ヒンジ作動時フレキシブルな表示手段の弾性力を用いて終端のスライディングが可能なフレキシブル表示装置の実施例３である。
本考案の実施例３は、２つの角にヒンジ形状が反映されているデュアルヒンジ固定ボディ、デュアルヒンジ固定ボディの一側に中央部分が固定され、固定されていない残りの両側終端部分は、各々ヒンジの外周面に支持された状態でフォールディング及びオープンが可能な状態で保持されるフレキシブルな表示手段Ｂ、デュアルヒンジ固定ボディのヒンジ形状に回転可能な状態で組み立てられ、フレキシブルな表示手段Ｂの固定されていない一側終端部分が貫通してスライディング動作すること、及び支持のためのスライディング空間部及びガイド壁が形成されている一対の蓋板Ａ、直線形態を有してフレキシブルな表示手段Ｂの上部面の周りを密着圧迫し、デュアルヒンジ固定ボディに固定される一対の第３の固定板、デュアルヒンジ固定ボディに組み立ててヒンジのフォールディング及びオープンを感知するフォールディング感知センサーとを含むことができる。
【実施例４】
【００３２】
図１４〜１７を参照する。図１４〜１７は、ヒンジ作動時フレキシブルな表示手段の弾性力を用いて終端のスライディングが可能なフレキシブル表示装置の実施例４である。
本考案の他の実施例４は、２つの角にヒンジ形状が反映されているデュアルヒンジ固定ボディ、デュアルヒンジ固定ボディの一側に中央部分が固定され、固定されていない残りの両側終端部分は、各々ヒンジの外周面に支持された状態でフォールディング及びオープンが可能な状態で保持されるフレキシブルな表示手段Ｂ、フレキシブルな表示手段Ｂの固定されていない一側終端部分の周りを包み、映像が表示される面の反対面に密着固定されてフレキシブルな表示手段Ｂの固定されていない一側終端部分と共にスライディングされる一対のスライディング板、デュアルヒンジ固定ボディのヒンジ形状に回転可能な状態で組み立てられ、スライディング板が貫通してスライディング動作すること、及び支持のためのスライディング空間部及びガイド壁が形成されている一対の蓋板Ｂ、直線形態を有してフレキシブルな表示手段Ｂの上部面の周りを密着圧迫し、デュアルヒンジ固定ボディに固定される一対の第３の固定板、中央部分が除去されて一側の角が開放された形状でフレキシブルな表示手段Ｂの上部面の周りを圧迫し、スライディング板に固定される一対の第２の固定板、デュアルヒンジ固定ボディに組み立ててヒンジのフォールディング及びオープンを感知するフォールディング感知センサーとを含むことができる。  
【００３３】
上述のように、本考案の実施例１、実施例２、実施例３及び実施例４によると、フレキシブルな表示手段Ａ及びフレキシブルな表示手段Ｂの全体が固定されずいずれか一方又は中間部分だけが固定された状態で固定されていない残りの部分が蓋板Ａに直接スライディングされたり、またはスライディング板に密着した状態でスライディング板と共に蓋板Ｂにスライディングされる。これによって、ヒンジ作動時ヒンジが位置した中央部分が上に突き出て盛り上がったり、伸縮性の不足によって一側終端が裂かれる問題点が発生しない。
【００３４】
また、本考案の実施例２及び実施例４によると、フレキシブルな表示手段Ａ及びフレキシブルな表示手段Ｂの固定されていない部分がスライディング板によって包まれ、固定されて密着固定されたフレキシブルな表示手段Ａ及びフレキシブルな表示手段Ｂの上部面の周り部分を第２の固定板が圧力してスライディング板に固定されることにより直接的なスライディングを行う周りの部分が外部に露出せず密閉状態で保護されて、フレキシブルな表示手段の密封状態が損傷される問題点が解決される。
【００３５】
本考案の実施例１及び実施例３は、スライディング板及び第２の固定板が適用されないため、フレキシブルな表示手段Ａ及びフレキシブルな表示手段Ｂの固定されていない部分の周りを本考案の実施例２及び実施例４のように保護することはできないが、スライディング板のガイド壁に位置する部分は、外部に露出されていない状態にあるので制限的な範囲で最小限に保護されると言える。
【００３６】
また、本考案の実施例３及び実施例４のように、ヒンジがフォールディング状態で支持されるようにする形状である両側のヒンジフォールディング支持面が平行しないで２つの角にヒンジ形状が反映されているデュアルヒンジ固定ボディにおいて、ヒンジに組み立てられ回動する蓋板Ａまたは蓋板Ｂの終端がヒンジフォールディング支持面延長線の交差点を超えないように長さを制限することによって、両側に位置する２つと蓋板Ａまたは蓋板Ｂが同時にオープンされたり、フォールディングされても相互間で干渉が発生しないようになる。
【００３７】
そして、本考案の実施例３及び実施例４のように、両側のヒンジフォールディング支持面が平行しないデュアルヒンジ固定ボディを適用することによって、ヒンジが折れている面を床面にして傾斜した形の配置状態を安定的に保持することができ、実施例４のように実施例３にスライディング板を追加で適用することによって、フレキシブルな表示手段Ｂの完全オープン状態でスライディング板の終端の角とデュアルヒンジ固定ボディのヒンジフォールディング支持面延長線の交差点付近に位置する所に各々接触面が形成されて支持される状態を保持することができるようになる。これを通じて映像表示面の拡張性の増大及び保管の便宜性の向上と共に、使用便利性を追加で得られるようになる。
【００３８】
添付された図面の主要部位に対する符号は以下のとおりである。
【符号の説明】
【００３９】
１０Ａ  単一ヒンジ固定ボディ
１０Ｂ  デュアルヒンジ固定ボディ  
１１Ａ  固定板支持部Ａ
１１Ｂ  固定板支持部Ｂ  
１２    ヒンジフォールディング支持面
２０Ａ  フレキシブルな表示手段Ａ  
２０Ｂ  フレキシブルな表示手段Ｂ  
３０Ａ  蓋板Ａ  
３０Ｂ  蓋板Ｂ  
３１    スライディング空間部
３２    ガイド壁
４０    スライディング板
４１    スライディング板支持部
５０    第１の固定板
５１    第２の固定板
５２    第３の固定板
６０    フォールディング感知センサー
【手続補正３】
【補正対象書類名】図面
【補正対象項目名】図１
【補正方法】変更
【補正の内容】
【図１】
0003211702.tif 000020